(57)【要約】【要  約】【課題】  シャンプー等の洗浄剤組成物へ配合したときその泡立ちを良くしかつその泡を消えにくくする新規な泡調整剤を提供する。【解決手段】  いわゆるジェミニ型活性剤として知られる疎水性部位を二つ且つ親水性極性基を二つ有する2鎖2親水基型化合物のうちの特定のものを水系の界面活性剤組成物に配合する。【選択図】        図１
2005218941.tif 000002
【特許請求の範囲】
【請求項１】
下記式（Ｉ）で表される泡調整剤：
【化１】
2005218941.tif 000012
ただし、式中、ｍ、n、α、βは整数であって、4≧m＋ｎ≧0、4≧α+β≧0をみたし、R1、R2は炭素原子4〜20個を有する分岐状又は直鎖の脂肪族基を表わし、その中に一つ又は数個のエステル結合、エーテル結合、アミド結合、ウレタン結合、炭素−炭素不飽和結合などを含んでも良く、また一分子中のR1、R2は同一でも良いし、互いに異なるものでもよく、
M1、M2は水素、アルカリ金属、アルカリ土類金属などの金属イオンを表わし、またアンモニウム塩等のオニウム塩を表わし、このときM1、M2は同一でもよいし互いに異なるものでも良い。
【請求項２】
前記式（I）の化合物が下記式（II）で表される化合物である、ことを特徴とする請求項1に記載の泡調整剤。
【化２】
2005218941.tif 000013
ただし式中、R3は炭素原子8〜20個を有する分岐状又は直鎖の脂肪族炭化水素基を表わし、M3は水素、アルカリ金属、アルカリ土類金属などの金属イオンを表わし、またアンモニウム塩等のオニウム塩を表わす。
【請求項３】
前記式（II）中M3がNaであることを特徴とする、請求項２に記載の泡調整剤。
【請求項４】
請求項１〜３のいずれかに記載の泡調整剤、
アニオン性界面活性剤、及び
水
を含んでいる洗浄剤組成物。
【請求項５】
前記アニオン性界面活性剤が下記式（III）で表される化合物である、ことを特徴とする請求項４に記載の洗浄剤組成物：
【化３】
2005218941.tif 000014
ただし、式中、R′は炭素原子8〜22個を有する飽和、不飽和の、分枝又は直鎖の脂肪族基又はアルキル基に炭素原子6〜18個を有するアルキル芳香族基を表わし、ｘは正の整数であって20≧ｘ≧1を示す。M′はアルカリ、アルカリ土類金属、アンモニウム又はアルキルアンモニウムイオンを表わす。
【請求項６】
前記アニオン性界面活性剤が下記式（IV）で表わされる化合物である、ことを特徴とする請求項４に記載の洗浄剤組成物：
【化４】
2005218941.tif 000015
ただし、式中、R”は炭素原子8〜22個を有する飽和、不飽和の、分枝又は直鎖の脂肪族基又はアルキル基に炭素原子6〜18個を有するアルキル芳香族基を表わし、M”はアルカリ、アルカリ土類金属、アンモニウム又はアルキルアンモニウムイオンを表わす。
【請求項７】
電解質が更に含まれる、ことを特徴とする請求項４〜６いずれか記載の洗浄剤組成物。
【請求項８】
前記電解質が塩化ナトリウムであることを特徴とする請求項７記載の洗浄剤組成物。
【請求項９】
シャンプー、ボディーソープ、ハンドソープなど身体の洗浄用である、ことを特徴とする請求項４〜８のいずれかに記載の洗浄剤組成物。
【発明の詳細な説明】
【技術分野】
【０００１】
この発明は泡調整剤に関する。
詳しくはシャンプー 、ボディーソープ、ハンドソープ、洗顔フォームなどの身体洗浄用洗浄剤 、あるいは台所用液体洗剤等の、性能向上あるいはハンドリング向上等のために使用され、洗浄剤の主成分である各種界面活性剤との併用においても起泡性を高めかつ安定性も改良された、洗浄剤用泡調整剤に関する。
【背景技術】
【０００２】
一般に頭髪用シャンプー 、ボディーシャンプー 、リンス、洗顔フォームなどの身体洗浄用洗浄剤 、あるいは台所用洗浄剤、衣類等の洗浄剤では、洗浄力が良好であることはいうまでもなく、近年は、泡立ちが良好であることが求められる傾向にある。
従来、このような洗浄剤の泡調整用途に水溶性高分子類、脂肪酸アルカノールアミド類、多価アルコールのモノエステル類、アルキルグルコシド類などの有機物や、あるいは無機塩類が使用されている。
本件発明に関連して、特許文献１及び特許文献２を参照されたい。
【０００３】
【特許文献１】特開平８−１０３６４６号公報
【特許文献２】特開２０００−２１９６５４号公報
【発明の開示】
【発明が解決しようとする課題】
【０００４】
これらの泡調整剤は一般的に洗浄剤組成物の膜弾性や表面粘性の調整により、その起泡性及び泡安定性を得ている。
これらの泡調整剤が洗浄剤組成物の膜弾性や表面粘性を低下するものであるとき、洗浄剤組成物の起泡性は向上するが泡安定性が低下する。即ち、洗浄剤組成物へかかる泡調整剤を配合したときには、泡立ちはよくなるがその泡が直ぐに消えてしまうこととなる。
他方、泡調整剤が洗浄剤組成物の膜弾性や表面粘性を向上するものであるとき、洗浄剤組成物の泡安定性は向上するが起泡性が低下する。即ち、洗浄剤組成物へかかる泡調整剤を配合したときには、一旦形成された泡は消えにくいが、泡立ちが悪くなる。
【０００５】
そこでこの発明は、シャンプー等の洗浄剤組成物へ配合したときその泡立ちを良くしかつその泡を消えにくくする新規な泡調整剤を提供することを目的とする。
【課題を解決するための手段】
【０００６】
上記課題を解決すべく本発明者らは2鎖2親水基型化合物に着目して、鋭意検討を重ねてきた。
疎水性部位を二つ且つ親水性極性基を二つ有する2鎖2親水基型化合物は、近年、ジェミニ型活性剤として広く知られている。これらジェミニ型活性剤は、例えば、脂肪酸石鹸などに代表される1鎖1親水基型化合物にくらべ、ｃｍｃは10-1mol/Ｌオーダーもしくはそれ以上小さく、ｃｍｃでの表面張力が非常に低く、またクラフト点が0℃以下である場合があるなど非常に高い界面活性の性質を有していることが知られている。
【０００７】
これらの活性剤は少量でより高い界面活性作用があるといえ工業的に有益であることはもちろん環境にとっても望ましい材料と言える。また本発明者らは、2鎖2親水基型化合物について界面活性能のみならずその分子集合現象に関し鋭意研究を重ねた結果、式（I）に代表される2鎖2親水基型化合物の、起泡、泡安定性に関する、いうならば気液界面における現象とその役割について知見を独自に見出した。
【化５】
2005218941.tif 000003
ただし、式中、ｍ、n、α、βは整数であって、4≧m＋ｎ≧0、4≧α+β≧0をみたし、R1、R2は炭素原子4〜20個を有する分岐状又は直鎖の脂肪族基を表わし、その中に一つ又は数個のエステル結合、エーテル結合、アミド結合、ウレタン結合、炭素−炭素不飽和結合などを含んでも良く、また一分子中のR1、R2は同一でも良いし、互いに異なるものでもよく、
M1、M2は水素、アルカリ金属、アルカリ土類金属などの金属イオンを表わし、またアンモニウム塩等のオニウム塩を表わし、このときM1、M2は同一でもよいし互いに異なるものでも良い。
【０００８】
かかる2鎖2親水基型化合物を洗浄剤組成物へ配合すると、洗浄剤組成物の起泡性及び泡安定性が共に向上することがわかった。即ち、式（I）の化合物は洗浄剤組成物の泡立ちを良くし、かつその泡を消えにくくする特性がある。
【０００９】
ここに、2鎖2親水基型化合物をシャンプーをはじめとする洗浄剤用途とする例は、特許文献１（特開平８−１０３６４６号公報）に見ることができる。ここでは、種々の化合物との組み合わせとその効果について言及しているが、特に泡調整剤としての記述は無い。更に、決定的に違うのは、上記公報の発明の2鎖2親水基型化合物は、一般に連結基と呼ばれている部分が、少なくとも1つの炭素で構成されている点であり、本発明の式（I）とは、明らかに構造上一線を画すものである。具体的には、本発明における式(I)化合物中、2つの炭素原子(*印)が、直結していることを指し示す。
【発明の実施の形態】
【００１０】
以下、この発明の各要素について詳細に説明する。
この発明の泡調整剤は下記式（I）を含んでなる
【化６】
2005218941.tif 000004
ただし、式中、ｍ、n、α、βは整数であって、4≧m＋ｎ≧0、4≧α+β≧0をみたし、R1、R2は炭素原子4〜20個を有する分岐状又は直鎖の脂肪族基を表わし、その中に一つ又は数個のエステル結合、エーテル結合、アミド結合、ウレタン結合、炭素−炭素不飽和結合などを含んでも良く、また一分子中のR1、R2は同一でも良いし、互いに異なるものでもよく、
M1、M2は水素、アルカリ金属、アルカリ土類金属などの金属イオンを表わし、またアンモニウム塩等のオニウム塩を表わし、このときM1、M2は同一でもよいし互いに異なるものでも良い。
上記において、4≧m＋ｎ、4≧α+βなる条件を付したのは、当該条件をこえる長い炭素ユニットを有する化合物を得ることは工業的に困難であるからである。
【００１１】
上記式（I）で表される泡調整剤の中でも下記式（II）で表される化合物を用いることが特に好ましい。
【化７】
2005218941.tif 000005
ただし式中、R3は炭素原子8〜20個を有する分岐状又は直鎖の脂肪族炭化水素基を表わし、M3は水素、アルカリ金属、アルカリ土類金属などの金属イオンを表わし、またアンモニウム塩等のオニウム塩を表わす。
【００１２】
上記式(I)、（II）の中でもM3がNaである化合物を用いることが特に好ましい。
なお、カルボキシル基のＮａを置換する元素として、上記Ｎａの外に、Ｌｉ、Ｋ等のアルカリ金属、Ｃａ、Ｍｇ等のアルカリ土類金属、ＮＨ３等のオニウム塩を用いることができる。
【００１３】
本発明の泡調整剤は水を含む組成物中、水に対して０．０５〜１０wt％溶解することにより効果を発揮する。好ましくは０．０５〜５wt％を溶解することにより水の起泡力、泡安定性を増大することができ、より好ましくは０．０５〜２wt％で水の起泡力、泡安定性を増大することができる。
【００１４】
このように、本発明の泡調整剤によれば、添加することで、特に純水、あるいは化合物を溶解した水溶液に対して高い起泡性、及び高い泡安定性を付与することが出来る。なお、この発明において、起泡性とはある一定の操作で泡立った体積を評価する指標であり、泡安定性とは出来た泡の経時での体積変化(減少)を表わす指標のことを言う。
【発明の実施をするための最良の形態】
【００１５】
この泡調整剤は特開２０００−２１９６５４号公報に開示の製造方法で形成することができる。即ち、複数の官能基を有する環状オレフィンを準備し、この官能基を疎水基化し、環状オレフィンを酸化開裂してジカルボン酸若しくはその誘導体を形成する。
勿論この泡調整剤は環状オレフィン類を出発原料として形成されるものに限定されるわけではない。
【００１６】
上記の泡調整剤の起泡、泡安定化効果は、アニオン性の界面活性剤水溶液においても顕著に発現する。アニオン性界面活性剤として例えば、
脂肪酸石鹸、アルキル硫酸塩、アルキルスルホン酸塩、アルキルエーテル硫酸エステル塩、ポリオキシエチレンアルキルフェニルエーテル硫酸塩、アルキルベンゼンスルホン酸塩、α−オレフィンスルホン酸塩、アルキルエーテルスルホン酸塩、アルキルエーテルリン酸エステル塩、Ｎ−アシルアミノ酸塩、ポリオキシエチレンアルキルスルホコハク酸塩などがあげられる。
【００１７】
特に、下記式（III）で表される化合物、いわゆるアルキルエーテル硫酸エステル塩を含む水溶液、下記式（IV）で表わされる化合物、いわゆるアルキル硫酸エステル塩を含む水溶液に、本発明の式(II)で表わされる化合物を添加することによって、起泡力が増し、泡安定性は顕著に改善される。
【化８】
2005218941.tif 000006
ただし、式中、R′は炭素原子8〜22個を有する飽和、不飽和の、分枝又は直鎖の脂肪族基又はアルキル基に炭素原子6〜18個を有するアルキル芳香族基を表わし、ｘは正の整数であって20≧ｘ≧1を示す。M′はアルカリ、アルカリ土類金属、アンモニウム又はアルキルアンモニウムイオンを表わす。
【化９】
2005218941.tif 000007
ただし、式中、R”は炭素原子8〜22個を有する飽和、不飽和の、分枝又は直鎖の脂肪族基又はアルキル基に炭素原子6〜18個を有するアルキル芳香族基を表わし、M”はアルカリ、アルカリ土類金属、アンモニウム又はアルキルアンモニウムイオンを表わす。
【００１８】
ここに、界面活性剤の種類及び配合量は洗浄剤組成物の用途・目的に応じて適宜選択されるものであるが、例えば式(III)で示されるアルキルアルコール硫酸エステル塩及び式(IV)で示されるアルキル硫酸エステルの場合、１０〜４５重量％とすることが好ましく、更に好ましくは１５〜２５重量％である。
【００１９】
上記水系組成物の起泡及び泡安定化効果を高めるために、種々の電解質を加えることが出来る。例えばＬｉＣｌ，ＮａＣｌ，ＫＣｌ，ＣａＣｌ２，ＭｇＣｌ２である。
【００２０】
上記電解質として好ましいのは、塩化ナトリウムであり、式(II)化合物、式(III)化合物を含む水系組成物における塩化ナトリウムの配合割合は０〜１０wt％とすることが好ましく、更に好ましくは０〜５wt％である。
【００２１】
上記水系組成物には、上記成分の他に必要に応じ通常洗浄剤等に用いられている、保湿剤、pH調整剤、抗酸化剤、抗菌剤、防腐剤、香料、色素、増粘剤、油分、高級アルコール、パール化剤、トニック剤、キレート剤、紫外線吸収剤、あるいは非イオン性の界面活性剤など他の成分を本発明の効果を損なわない程度に適宜含むことができる。
例えば、グリセリン、プロピレングリコール、ヒアルロン酸、ヘキシレングリコール、エチレングリコール、１,３−ブタンジオール、エタノール、ジエチレングリコールエチルエーテル、クエン酸、アスコルビン酸、酢酸トコフェロール、安息香酸、サリチル酸塩、パラオキシ安息香酸エステル、安息香酸ナトリウム、フェノキシエタノール、ヒドロキシエチルセルロース、メチルセルロース、カルボキシビニルポリマー、キサンタンガム、リナロール、シトロネロール、シトラール、αピネン、ゲラニオール、ｌ−メントール、１,８−シネオール、イソボルニルアセテート、βフェニルエチルアルコール、ベンジルアセテート、高級脂肪酸、固形パラフィン、流動パラフィン、シリコーン油、スクワラン、ホホバ油、オリーブ油、ヒマシ油、ラノリン、レシチン、セチルアルコール、ステアリルアルコール、エチレングリコールジステアレート、スチレンポリマー、エチレンジアミン四酢酸塩、クエン酸、ニトリロトリ酢酸三ナトリウム５−メチル−２−イソプロピルシクロヘキサノール、トウガラシチンキ、エチレンジアミン四酢酸塩、クエン酸、ニトリロトリ酢酸三ナトリウム、ベンゾフェノン誘導体、ベンゾトリアゾール誘導体、ポリオキシエチレン脂肪酸エステル、ポリオキシエチエレン硬化ヒマシ油誘導体、脂肪酸ジエタノールアミド、などである。
【実施例】
【００２２】
以下、本発明を実施例及び比較例をもつて説明するが、これらは本発明をなんら限定するものではない。
【００２３】
実施例及び比較例の洗浄剤組成物の組成を表１に示した。
【表１】
2005218941.tif 000008
表１において、泡調整剤１は次の構造を有する。
【化１０】
2005218941.tif 000009
【００２４】
また、泡調整剤２は次の構造を有する。
【化１１】
2005218941.tif 000010
【００２５】
また、泡調整剤３は次の構造を有する。
【化１２】
2005218941.tif 000011
【００２６】
ラウリルベタイン及び1-ドデカノールは洗浄剤組成物用の泡調整剤として従来から用いられたものであるが、ラウリルベタインは主に洗浄剤組成物の起泡性を高める作用があり、また、1-ドデカノールは洗浄剤組成物の泡安定性を高める作用がある。
【００２７】
アニオン性界面活性剤として下記化学式で表されるラウリル硫酸ナトリウム（以下、ＳＤＳと略記）、Lauryl sulfate sodium salt：シグマ（株）社製
Ｃ１２Ｈ２５−ＯＳＯ３Ｎａ
及び下記化学式で表されるラウリルエーテル硫酸ナトリウム(以下、ＡＥＳと略記)、エマール20Ｃ：花王（株）社製、
Ｃ１２Ｈ２５−Ｏ−（Ｃ２Ｈ４Ｏ）３−ＳＯ３Ｎａ
【００２８】
以下、この発明の泡調整剤による、起泡性および泡安定性への効果を、泡表面の粘弾性をもって評価した結果について説明する。
実施例１の洗浄剤組成物の作成方法を説明する。
泡調整剤１に高濃度のアルカリ水溶液（ＮａＯＨ）を必要量加え、十分に混合し完全中和したところで、ＡＥＳ(30wt%水溶液)を必要量混合し、更にこれを水で希釈して評価用試料とした。
【００２９】
図１に結果を示す。横軸は体積変化を一秒間に何回行ったかの数（周波数Hzとの関係は、縦軸の値を2πで割ると周波数になる）を示してある。横軸が大きい値になると振動（泡の体積の収縮、拡大の周期）が早くなる。いいかえれば、小さいときは泡が静置されたときの泡の剛直性、大きい値の時は起泡時の水溶液表面の剛直性を表す。ＡＥＳを0.4wt％、すなわち、ｃｍｃより若干濃い濃度での結果であり、これはシャンプーなどを使用したときの泡立ち、泡安定と関連がある。
【００３０】
縦軸は粘弾性を示す。この粘弾性は次のように測定した。
即ち、測定試料の表面粘弾性を泡粘性試験装置Tracker（IT Concept社製、France）で測定した。これは測定水溶液内に上方に折り曲げた細管を静置し、細管の出口で泡を形成する。泡の体積もしくは表面積を正弦波的に変化（振動）させ、泡の表面積を変化させ、表面張力変化、また、体積変化との位相差の違いから表面複素弾性率（Ｅ＊）あるいはその逆数である表面複素粘性率を求める。表面複素弾性率は実数の部分が表面弾性、虚数部分が表面粘性の和である。しかし、本実験で求められる表面複素弾性率は、実数部分と虚数部分の大きさ（マグニチュード）の和に相当する。この値と位相差から表面粘性と弾性を求めることができるが、現段階では再現性などの問題でこの表面複素弾性率の絶対値を用いる。多数の論文においてもこの値で議論されている。この値が大きいことは表面が拡張されたときに収縮する力が大きい、すなわち、泡表面が剛直になっていることを表す。
洗浄剤組成物には良好な泡立ちと生成した泡の安定性が求められている。図１において、横軸の値が大きい範囲（即ち起泡時）において縦軸の値（泡表面の剛直性）が小さくなり、かつ、横軸の値が小さい範囲（静置状態）において縦軸の値が大きいなることが理想的である。
【００３１】
図１の結果より次のことがわかる。
本発明にかかる泡調整剤１を配合した実施例１の洗浄剤組成物は、当該泡調整剤１を配合しない比較例１の洗浄剤組成物に比べて、起泡時の泡表面の剛直性においてほぼ等しく、静置時にはその泡表面の剛直性が向上する。即ち、泡調整剤１を配合することにより、洗浄剤組成物は起泡性を維持しつつ及び泡安定性を向上させることができる。
他方、泡調整剤としてラウリルベタイン（比較例２）や１−ドデカノール（比較例３）を配合した洗浄剤組成物では、泡表面の剛直性が全周波数範囲で低下若しくは向上している。即ち、ベタインを配合した比較例２の洗浄剤組成物は、起泡性は向上するが泡安定性も低下する。ドデカノールを配合した比較例３の洗浄剤組成物では、泡安定性は向上するが起泡性に劣る。
このように起泡性と泡安定性がトレードオフの関係にある従来の泡調整剤に比べて、実施例１で用いた泡調整剤によれば洗浄剤組成物の起泡性と泡安定性を共に向上させることが可能になる。
【００３２】
泡調整剤２及び泡調整剤３の場合、即ち、実施例２及び実施例３の洗浄剤組成物の周波数−粘弾性特性も実施例１のものと同等である。
【００３３】
表１において実施例４、実施例５はアニオン性界面活性剤としてＡＥＳを用いた例であり、実施例５では泡調整剤１の配合量を実施例４の半量とした。比較例４は泡調整剤が不在である。これら実施例４、５及び比較例４の振動数―粘弾性特性を図２に示した。
図２の結果から、ＡＥＳについても泡調整剤１を配合することにより、起泡性を維持しつつ泡安定性を改善できることがわかる。また、泡調整剤１の配合量を増加させると、全周波数範囲で洗浄剤組成物の泡表面の剛直性が増大することがわかる。
【００３４】
次に、この発明の泡調整剤組成物のバルク特性を、静的粘弾性により評価した結果について説明する。
泡調整剤に高濃度のアルカリ水溶液(ＮａＯＨ)を必要量加え、十分に混合し完全中和(以降Na2Gと表記する)したところで、ＡＥＳ(30wt%水溶液)、塩化ナトリウムをそれぞれ必要量混合し、更にこれを水で希釈してサンプルとした。同様に、半中和(M3＝Na and H、以降NaHGと表記する)および未中和(M3＝H、以降H2Gと表記する)の泡調整剤)化合物と、AES、塩化ナトリウムを混合した後に水で希釈し、評価用試料とした。
【００３５】
この試料の静的粘弾性を次のようにして測定した。
即ち試料の静的粘弾性（定常剪断力下）はRheometric Scientific社製のARESを用いて25℃において測定した。ゼロ剪断粘度は剪断速度を変えた測定をゼロ速度に補外して求めた。測定セルはキュベットもしくはコーンプレートセルを用い、粘性に応じて使い分けた。
図３にアルキルポリオキシエチレン硫酸ナトリウム(ＡＥＳ)20wt％水溶液に中和、半中和あるいは未中和の泡調整剤１を加えあるいは無添加におけるゼロ剪断粘度に及ぼす塩化ナトリウムの効果を示す。塩、泡調整剤１の両方を加えていない場合、すなわち、20 wt %ＡＥＳ水溶液（左の軸の□）の粘性は約0.015Pasであり、水の粘度0.0008Pasと比較して20倍ほどの粘性で20wt％水溶液としては極めて低粘性である。これに2wt％の泡調整剤１を加えた場合（塩化ナトリウム無添加）、中和、未中和を問わず、粘性は増加（左軸上）するが、最大で元の水溶液の10倍程度（水の200倍）程度である。それに塩化ナトリウムを加えると、さらに、その値から100倍程度粘性が増加する。この結果から泡調整剤１はＡＥＳ水溶液の粘性を著しく増大する効果を持つ。
【００３６】
ＮａＯＨは泡調整剤１〜３を含む洗浄剤組成物の粘性を調整するものであった。本発明者らの検討により、2鎖2親水基型化合物である泡調整剤１〜３においてカルボキシル基のＨをＮａで置換すると、置換度(中和度)が高くなると共に、その粘性が低下することがわかった。このようにＮａＯＨを配合することにより、実施例の洗浄剤組成物と比較例の洗浄剤組成物の粘性がほぼ等しくなり、その特性が比較し易くなる。換言すれば、本発明の泡調整剤の作用は、ＮａＯＨの配合如何によって、変化するものではない。
【００３７】
図４に同じＡＥＳ水溶液に2wt％一定の塩化ナトリウムを入れた系に、半分中和した泡調整剤１(NaHG)を加えたときのゼロ剪断粘度を示す。 
泡調整剤１(NaHG)を加えると粘性が大幅に増加することがわかる。これらの結果から、界面活性剤に対して0−10wt％の間の泡調整剤１を加えることにより水溶液の粘性を増加させることが可能である。もちろん、それ以上の割合を加えることも可能であるが、粘性は高止まりの傾向を示す。
ＡＥＳの水に対する濃度に関しては20wt％だけでなく、数wt％―40wt％もしくはそれ以上の濃度であっても泡調整剤１の粘性増加効果はあると考えられる。通常のシャンプー類の原液は10−30wt％なので、その間は十分にバルクの粘性をあげることができる。
【００３８】
次に、目視観察による起泡性・泡安定性の評価結果について説明する。
蒸留水を使用して、ＡＥＳ0.1wt％含む試料  20ｍｌを作成し、120ｍｌ栓付き試験管を用い、温度25℃の条件で10秒間に20回振とうさせ、その１分後、30分後の泡量を目視測定して起泡性・泡安定性の評価を行った。その結果を図５に示す。 
図５で使用した試料は次のようにして作成した。泡調整剤１に高濃度のアルカリ水溶液(ＮａＯＨ)を必要量加え、十分に混合し完全中和したところで、ＡＥＳ(30wt%水溶液)、塩化ナトリウムをそれぞれ必要量混合し、更にこれを水で希釈して評価用試料とした（実施例６）。（実施例７、８はそれぞれ、泡調整剤１と、半中和量のアルカリ水溶液、ＡＥＳ、塩化ナトリウムを混合した後に水で希釈し、評価用試料とした。）
【００３９】
図５に起泡性・泡安定性試験の結果を示す。縦軸には泡体積、横軸は添加した泡調整剤１の種類と、1分及び30分後の時間経過を示す。1分時の泡体積より起泡性を、また1分と30分の体積変化より泡安定性を評価した。結果、泡調整剤１を添加することによって（実施例６、７、８）、しない場合(比較例5)より泡の安定性に優れることが分った。また、Na2Gの場合は0.01wt%、NaHGでは0.02wt%添加すると、起泡力そのものが高くなることが分った。このように、この発明における泡調整剤の起泡性、泡安定性に関する効果は、目視観察によっても確認された。
【００４０】
本発明中に示した式(I)に代表される2鎖2親水基型化合物を添加することにより、水もしくは界面活性剤水溶液は起泡力を維持、もしくは、増大し、同時に泡安定性が改善される。このことより、本発明中に示した式(I)に代表される2鎖2親水基型化合物は洗浄剤成分中の泡調整剤として極めて有益なひとつとなる。
界面活性剤水溶液の中でもアルキルエーテル硫酸ナトリウム、もしくはアルキル硫酸ナトリウムを含む水系組成物に、本発明中に示した２鎖２親水基型化合物が更に含まれる水系組成物は、適度な粘性、起泡力、泡安定性が得られる。これら全てを同時に満足させる性能は他に殆ど類を見ないものであり、例えば、シャンプーやボディーソープ、ハンドソープなどの身体用洗浄剤や食器などの洗浄剤への応用に好適な泡調整剤を提供するものである。
【図面の簡単な説明】
【００４１】
【図１】この発明の実施例の洗浄剤組成物の気液界面における粘弾性特性を示すグラフ図である。
【図２】この発明の他の実施例の洗浄剤組成物における気液界面における粘弾性特性を示すグラフ図である。
【図３】この発明の実施例の洗浄剤組成物のバルクの静的粘弾性特性を示すグラフ図である。
【図４】この発明の実施例の洗浄剤組成物のバルクの静的粘弾性特性を示すグラフ図である。
【図５】この発明の実施例の洗浄剤組成物の泡安定性の結果を示すグラフ図である。
【図１】
2005218941.tif 000016
【図２】
2005218941.tif 000017
【図３】
2005218941.tif 000018
【図４】
2005218941.tif 000019
【図５】
2005218941.tif 000020